(57)【特許請求の範囲】
【請求項１】
画像を表示する表示手段と、
前記表示手段に表示された画像を投射結像する第１投射手段と、
前記第１投射手段により投射された投射画像の結像位置よりも、前記第１投射手段から離れた位置に設けられた半透過反射手段と、を備え、
前記表示手段は、
第２投射手段を備えたプロジェクターと、
前記第２投射手段からの投射像を表示する透過型スクリーンと、を備え、
前記透過型スクリーンの前記半透過反射手段側の面には、凹凸が設けられ、前記投射像の結像位置を異ならせる
ことを特徴とする表示装置。
【請求項２】
前記第１投射手段を前記第１投射手段の光軸方向に移動可能な移動手段を備えていることを特徴とする請求項１に記載の表示装置。
【請求項３】
前記プロジェクター、前記透過型スクリーン、前記第１投射手段および前記半透過反射手段を収容する筐体と、
前記透過型スクリーンを交換する交換手段と、を備える
ことを特徴とする請求項１または２に記載の表示装置。
【請求項４】
前記凹凸が、人物の外形に沿うように円筒状に形成されている
ことを特徴とする請求項１に記載の表示装置。
【請求項５】
前記凹凸が、人物の顔面を模した形状に形成されている
ことを特徴とする請求項１に記載の表示装置。
【請求項６】
前記凹凸が、眼鏡の形状を模した形状に形成されている
ことを特徴とする請求項１に記載の表示装置。
【発明の詳細な説明】
【技術分野】
【０００１】
本発明は、表示装置に関するものである。
【背景技術】
【０００２】
選んだ商品を身体に試着し、その試着した状態を自分自身で観察して商品を選択することのできる装置が提案されている（特許文献１，２）。この特許文献１では、眼鏡を試着した自分の姿を自分自身で撮影し、撮影した複数枚の画像をモニタに映し出すことのできる表示装置が開示されている。特許文献２には、購入者が実際に着衣を試着することなく、試着した状態を再現できる表示装置が開示されている。ここでは、マネキン画像の体型および肌色を試着人物に近づくように画像変換し、違和感なく画像合成を行う方法を採用している。このような表示装置によって、購入者は、モニタに映し出された画像を見ながら複数パターンの試着姿を比較して、一人で好みの商品を選ぶことができる。
【先行技術文献】
【特許文献】
【０００３】
【特許文献１】特開２０１１−０４０９５３号公報
【特許文献２】特開平０９−１０６４１９号公報
【発明の概要】
【発明が解決しようとする課題】
【０００４】
しかしながら、上記した従来技術では、基本的に撮影した画像を元にその後に比較検討するものであり、リアルタイムに試着検討することができなかった。また、モニタに表示される画像は平面的なものであり、鏡のような立体的な像で試着姿を確認することができないという問題点を有している。
【０００５】
本発明は、上記従来技術の問題点に鑑み成されたものであって、購入者が複数商品の試着状態を鏡のような立体的な像でリアルタイムに確認および比較検討することのできる表示装置を提供することを目的の一つとしている。
【課題を解決するための手段】
【０００６】
本発明の表示装置は、画像を表示する表示手段と、前記表示手段に表示された画像を投射結像する第１投射手段と、前記第１投射手段により投射された前記投射画像の結像位置よりも、前記第１投射手段から離れた位置に設けられた半透過反射手段と、を備えたことを特徴とする。
【０００７】
これによれば、観察者は、第１投射手段と半透過反射手段との間の空間に形成される実像と、半透過反射手段において反射される自身の虚像とを重ね合わせて見ることができる。例えば、観察者は半透過反射手段に映し出された自身の姿と、第１投射手段により形成された画像（商品の画像）とを重ねて見ることができるため、鏡のような立体的な自身の試着姿をリアルタイムに確認することができる。これにより、商品を試着することなく好みの商品を選択することができる。
【０００８】
また、前記表示手段は、第２投射手段を備えたプロジェクターと、前記第２投射手段からの投射像を表示する透過型スクリーンと、を備えている構成としてもよい。
これによれば、表示手段としてプロジェクターと透過型スクリーンを用いたため、観察者が第１投射手段と半透過反射手段との間の空間に形成される実像と、半透過反射手段において反射される自身の虚像とを重ね合わせて見ることができるとともに、表示手段から射出される光の射出角度を容易に所定の範囲とすることができる。
【０００９】
また、前記透過型スクリーンの前記半透過反射手段側の面には、凹凸が設けられ、前記投射像の結像位置を異ならせる構成としてもよい。
これによれば、投射像が立体的な実像となるため、凹凸を人体や人物顔の形状とすることで観察者の体や顔に合った像を立体的に表示することができる。これにより、より自然な合成像を提供することができる。
【００１０】
また、前記第１投射手段を前記第１投射手段の光軸方向に移動可能な移動手段を備えている構成としてもよい。
これによれば、空間像の位置を観察者が見やすい位置に調整することができる。
【００１１】
また、前記プロジェクター、前記透過型スクリーン、前記第１投射手段および前記半透過反射手段を収容する筐体と、前記透過型スクリーンを交換する交換手段と、を備える構成としてもよい。
これによれば、表示装置の各構成要素を筐体内に収容することでこれらを保護することができるとともに互いの位置関係が適宜固定されるので、取り扱いが容易である。
【００１２】
また、前記凹凸が、人物の外形に沿うように円筒状に形成されている構成としてもよい。
これによれば、衣類などの商品を試着することなくリアルタイムで自身の試着姿を確認することができるので、好みの商品を効率よく選択することができる。
【００１３】
また、前記凹凸が、人物の顔面を模した形状に形成されている構成としてもよい。
これによれば、化粧の仕方や色調、濃さなどを変えた像を表示することにより、観察者は、自身の顔に化粧品を付けることなく、好みの化粧品や化粧方法をシミュレーションすることができる。
【００１４】
また、前記凹凸が、眼鏡の形状を模した形状に形成されている構成としてもよい。
これによれば、眼鏡などの商品を試着した自身の試着姿をリアルタイムで確認することができるので、好みの商品を効率よく選択することができる。
【図面の簡単な説明】
【００１５】
【図１】第１実施形態の表示装置の構成を模式的に示す図。
【図２】リアスクリーンを示す図であって、（Ａ）正面図、（Ｂ）Ａ−Ａ’線に沿う断面図。
【図３】空間像の表示原理を説明するための図。
【図４】第２実施形態の表示装置の構成を模式的に示す斜視図。
【図５】空間像の表示原理を説明するための図。
【図６】第３実施形態における表示装置の構成を模式的に示す斜視図。
【図７】第４実施形態における表示装置のリアスクリーンの構成を示す斜視図。
【図８】第５実施形態における表示装置のリアスクリーンの構成を示す斜視図。
【図９】第６実施形態の表示装置の構成を示す斜視図。
【図１０】スライド機構にリアスクリーンが保持された状態を示す側面図。
【発明を実施するための形態】
【００１６】
以下、本発明の実施形態につき、図面を参照して説明する。なお、以下の説明に用いる各図面では、各部材を認識可能な大きさとするため、各部材の縮尺を適宜変更している。
【００１７】
各実施形態における表示装置は、店舗などに設置されており、購入者が商品を試着した姿の空間像Ｚを形成するものである。購入者は、表示装置の方向を見ることで空間像Ｚを確認することができ、複数の商品を試着した姿を比較しながら商品を選ぶことができるようになっている。
【００１８】
［第１実施形態］
図１は、第１実施形態の表示装置の構成を模式的に示す図である。図２は、リアスクリーンを示す図であって、（Ａ）正面図、（Ｂ）Ａ−Ａ’線に沿う断面図である。
【００１９】
本実施形態の表示装置１００は、図１に示すように、プロジェクター（表示手段）１と、リアスクリーン（透過型スクリーン、表示手段）２と、フレネルレンズ（第１投射手段）３と、ハーフミラー（半透過反射手段）４と、を有している。プロジェクター１には、ライトバルブ５や投射レンズ（第２投射手段）６などが搭載されているとともに、図示しないパーソナルコンピューターなどの映像信号生成手段が接続されている。プロジェクター１は、映像信号生成手段から入力された映像信号に基づいてリアスクリーン２に映像を投射する。このプロジェクター１から射出される光の光路上に、リアスクリーン２、フレネルレンズ３、ハーフミラー４がプロジェクター１側からこの順に配置されている。
【００２０】
リアスクリーン２は光拡散機能を備える。図２に示すように、リアスクリーンはフレネルレンズ２Ａと拡散シート２Ｂとが貼り合わされて構成されるもので、フレネルレンズ２Ａ側をプロジェクター１側に向けて設置されている。このため、プロジェクター１から射出された光はフレネルレンズ２Ａに入射する。フレネルレンズ２Ａは、微小な間隔で同心円状に設けられた複数のプリズム１３を有している。
【００２１】
プロジェクター１から射出された投射光はリアスクリーン２に入射する前は発散光であるが、フレネルレンズ２Ａの作用により光軸方向にある程度集束された状態で拡散シート２Ｂに入射する。拡散シート２Ｂでは投射光が結像し、像が形成された後、予め設定された角度で投射光が拡散する。なお、フレネルレンズ２Ａは、空間像Ｚの見え方が最適になるように焦点距離を設定すれば良い。また、拡散シート２Ｂの側がプロジェクター１を向くように設置され、プロジェクター１からの投射光が拡散シート２Ｂに入射する構成であっても良い。その場合も上記とほぼ同等な機能を実現することができる。
【００２２】
フレネルレンズ３の基本構成はリアスクリーン２の一部を構成するフレネルレンズ２Ａと同様であるが、全体の寸法、各プリズム１３の寸法や焦点位置が異なっている。リアスクリーン２の光軸とフレネルレンズ３の光軸は一致している。なお、リアスクリーン２の光軸とは、リアスクリーン２の投射面の中心を通り、リアスクリーン２の投射面に垂直な軸のことである。
【００２３】
ハーフミラー４は、フレネルレンズ３よりも観察者Ｋ側に配置されている。具体的には、フレネルレンズ３より投射された投射画像の結像位置よりも、フレネルレンズ３から離れた位置に設けられている。このハーフミラー４は、入射する光の一部を反射するとともに一部を透過させる。
プロジェクター１から映像光が投射されている場合、ハーフミラー４の前方に位置する観察者Ｋは、ハーフミラー４に映し出される鏡像に重ね合わせて自分の姿を視認することができる。一方、プロジェクター１から映像が投射されてない場合、ハーフミラー４の前方に位置する観察者Ｋは、ハーフミラー４の前方側から入射して反射された光を鏡像として視認することになる。つまり、観察者Ｋは、ハーフミラー４を通常のミラーとして利用することができる。
【００２４】
次に、上記構成の表示装置で空間像が生成される原理について説明する。
図３は、空間像の表示原理を説明するための図である。
プロジェクター１内のライトバルブ５には図示しない回路により装着品の映像が表示されており、リアスクリーン２に投射表示される。この像は、フレネルレンズ３で空間に実像として結像される。さらに、観察者Ｋはハーフミラー４を介して実像を観察することができる。このとき、実像とハーフミラー４との間の距離をｄとすると、観察者Ｋはハーフミラー４から距離ｄだけ離れた位置に立つことで、自分自身の反射による虚像と実像とを略同じ位置に合成して見ることができる。
【００２５】
例えば、プロジェクター１から洋服の写真又はＣＧ画像をリアスクリーン２に投射した場合、観察者Ｋからはハーフミラー４越しに自分の虚像と洋服の実像が合成して見える。この際、観察者Ｋは、前後左右に少し移動することで、自分の虚像と洋服の実像とが最も自然に合成される位置を求めることができる。
【００２６】
本実施形態の構成によれば、観察者Ｋは、フレネルレンズ３とハーフミラー４との間の空間に生成された実像を、ハーフミラー４を通じて観察することができる。つまり、観察者Ｋは、ハーフミラー４により反射して生成される観察者Ｋ自身の虚像と、空間に生成された実像（例えば、衣類の実像）とを同時に見ることができるため、ハーフミラー４の正面に立つことによって、自身の虚像に実像を重ねてみることができる。
このため、観察者が商品を選択する際、鏡のような立体的な自身の試着姿をリアルタイムに確認することができるため、商品を試着することなく好みのものを気軽に選択することができる。
本実施形態では、プロジェクター１をリアスクリーン２に投射表示する構成としたが、これに代えてフラットパネルディスプレイを用いてもよい。この場合は、フラットパネルディプレイは本実施形態のリアスクリーン２の位置に配置すればよい。
【００２７】
［第２実施形態］
次に、第２実施形態の表示装置について述べる。
図４は、第２実施形態の表示装置の構成を模式的に示す斜視図である。図５は、空間像の表示原理を説明するための図である。
本実施形態における表示装置２００のリアスクリーン２は、その前面２ａにおける中央部にフレネルレンズ３側に向かって円筒状に膨らんだ凹凸２０が設けられている。
プロジェクター１から洋服の写真またはＣＧ画像がリアスクリーン２に投射されると、この投射像はフレネルレンズ３により、リアスクリーン２とは反対側の空間（フレネルレンズ３とハーフミラー４との間の空間）に実像として結像される。本実施形態のリアスクリーン２はその中央部が円筒状に膨らんでいることから、実像も円筒状に膨らんで結像されることになる。そのため、観察者Ｋからは自分の虚像とともに洋服の像も立体的に見えるため、より自然な合成画像として確認することができる。
【００２８】
ここで、図５に示すように、リアスクリーン２とフレネルレンズ３との間の距離をａ、フレネルレンズ３と虚像との間の距離をｂ、フレネルレンズ３の焦点距離をｆとすると、
１／ｆ＝１／ａ＋１／ｂが成立している。
また、リアスクリーン２上の投射像のサイズに対する実像のサイズの倍率（横倍率Ｍｔ）は、Ｍｔ＝ｂ／ａとなる。
【００２９】
ここで、レンズの光軸方向の倍率（縦倍率Ｍｌ）は、
Ｍｌ＝（Ｍｔ）２  となる。
従って、実像の光軸方向の厚さをＴとすると、リアスクリーン２の凹凸２０の膨らみＢは、
Ｂ＝Ｔ／Ｍｌ＝Ｔ／（Ｍｔ）２  と設定しておけばよい。
【００３０】
本実施形態の構成によれば、リアスクリーン２の一面側に凹凸２０を設けることにで、投射像の結像位置を異ならせることができる。リアスクリーン２の一面（フレネルレンズ３側の面）側が、プロジェクター１によりリアスクリーン２に投射される像に関連した形状に加工した非平面形状であるため、投射した像が奥行きを備えた形状の実像となり、観察者Ｋの体や顔などの形状に合った立体的な像を表示することができる。これにより、より自然な合成像を提供することができる。
【００３１】
［第３実施形態］
次に、第３実施形態の表示装置の構成について述べる。
図６は、第３実施形態における表示装置の構成を模式的に示す斜視図である。
本実施形態における表示装置３００は、フレネルレンズが移動可能とされている点において第２実施形態とは異なる。
【００３２】
フレネルレンズ３の下方には、プロジェクター１の光軸方向に該フレネルレンズ３を平行移動することができるレンズ移動機構（移動手段）２１が備えられている。
レンズ移動機構２１は、フレネルレンズ３の両側に光軸ＬＸと平行に延在する一対のガイド部２２，２２を有する。これら一対のガイド部２２，２２に不図示の取付部を介してフレネルレンズ３の下端側が支持され、取付部がガイド部２２，２２に沿ってスライド移動されることでフレネルレンズ３が光軸方向に平行移動可能とされる。光路上におけるフレネルレンズ３の位置を調整することができるように構成されたことにより、空間像が形成される位置を観察者Ｋが見やすい位置に調整することが可能になる。
【００３３】
フレネルレンズ３と虚像の間の距離ｂは、１／ｂ＝１／ｆ−１／ａであるから、
ｂ＝ｆ（１＋Ｍｔ）で表すことができる。
【００３４】
リアスクリーン２から実像までの距離は、ａ＋ｂ＝（ｆ（１＋Ｍｔ）２）／Ｍｔ
となる。
【００３５】
フレネルレンズ３の位置を移動させることにより、横倍率Ｍｔを変えるだけで実像の大きさを変えることができる。このとき、実像の位置は上式の値のように移動することになる。
【００３６】
本実施形態の構成によれば、フレネルレンズ３を光軸ＬＸに沿って平行移動可能なレンズ移動機構２１を備えているため、リアスクリーン２に投射された像及びリアスクリーン２の形状により生成される実像のサイズを変更可能であるため、例えば観察者Ｋの体のサイズに対応して表示する洋服のサイズを変更することができる。
【００３７】
［第４実施形態］
次に、第４実施形態における表示装置のリアスクリーンの構成について述べる。
図７は、第４実施形態における表示装置のリアスクリーンの構成を示す斜視図である。
図７のように、リアスクリーン２４は人物の顔の形状を模した凹凸２５を有している。この凹凸２５は、リアスクリーン２の前面２ａの中央部に位置し、フレネルレンズ３側に向かって突出している。
なお、空間に結像される実像はフレネルレンズ３により上下左右が反転されるため、リアスクリーン２４の凹凸２５は、前面２ａ側から見て顔形状の上下左右が逆になるように設けられている。
【００３８】
プロジェクター１からは、顔写真やＣＧ画像が凹凸２５の形状に略一致する大きさでリアスクリーン２４へと投射される。そして、生成された空間の実像に対して、観察者Ｋが自分の顔の位置が合うような位置に立つことで、自分の顔を投射された顔とほぼ一致させて見ることができる。ここで、表示する投射画像において、化粧の仕方や色調、濃さなどを変えた写真や画像を準備しておき、選択的に切り替えることにより、観察者Ｋは化粧品や化粧方法をシミュレーションしながら好みのものを選択することができる。
【００３９】
［第５実施形態］
次に、第５実施形態の表示装置におけるリアスクリーンの構成について述べる。
図８は、第５実施形態における表示装置のリアスクリーンの構成を示す斜視図である。
図８のように、リアスクリーン２６は眼鏡の形状を模した凹凸２７を有している。この凹凸２７においても、リアスクリーン２６の前面２ａの中央部に位置し、フレネルレンズ３側に向かって突出している。
なお、空間に結像される実像はフレネルレンズにより上下左右が反転されるため、リアスクリーン２６の凹凸２７も、前面２ａ側から見て眼鏡形状の上下左右が逆になるように設けられている。
【００４０】
プロジェクター１からは、眼鏡の写真やＣＧ画像が凹凸２７の形状に略一致する大きさでリアスクリーン２６へと投射される。そして、生成された空間の実像に対して、観察者Ｋが自分の顔の位置が合うような位置に立つことで、自分の顔の眼の位置に、投射された眼鏡を一致させて見ることができる。つまり、自分自身が眼鏡を装着したかのように見ることができる。
【００４１】
ここで、表示する投射画像において、あらかじめ複数の眼鏡の写真やＣＧ画像を準備しておき、選択的に切り替えることにより、観察者Ｋは眼鏡をかけ替えるようにして好みのフレームを選択することができる。
【００４２】
［第６実施形態］
次に、第６実施形態の表示装置の構成について述べる。
図９は、第６実施形態の表示装置の構成を示す斜視図である。図１０は、スライド機構にリアスクリーンが保持された状態を示す側面図である。
図９に示すように、本実施形態の表示装置４００では、プロジェクター１、リアスクリーン２、フレネルレンズ３などが筐体３１内に収容されており、フレネルレンズ３はその下部に設けられたレンズ移動機構２１によって移動可能に保持されている。
【００４３】
レンズ移動機構２１は、筐体３１の底部両側に光軸ＬＸと平行に延在する一対のガイド部２２，２２を有する。これら一対のガイド部２２，２２に不図示の取付部を介してフレネルレンズ３の下端側が支持され、取付部がガイド部２２，２２に沿ってスライドすることで光軸方向に移動可能とされる。これにより、フレネルレンズ３を所定の位置で固定できるようになっている。その結果、空間像の位置を観察者が見やすい位置に調整することが可能になる。
【００４４】
筐体３１は、プロジェクター１、リアスクリーン２、フレネルレンズ３およびハーフミラー４等を保持する箱状の部材である。この筐体３１は、プロジェクター１が収容される第１収容部３１Ａと、フレネルレンズ３およびレンズ移動機構２１が収容される直方体形状の第２収容部３１Ｂとを有する。なお、これら第１収容部３１Ａおよび第２収容部３１Ｂの形状はこれに限られない。
【００４５】
本実施形態では、筐体の第２収容部３１Ｂの側面３１ｂにはリアスクリーン２の出し入れを可能とする調整口３２が設けられており、この調整口３２を介して筐体３１の内部に設置されたリアスクリーン２を交換することが可能となっている。
具体的には、図１０に示すような交換手段３４を介してリアスクリーン２を交換することができるように構成されている。交換手段３４は、第１収容部３１Ａと第２収容部３１Ｂとの境界部分に立設されたスクリーン取付板３３の前面３３ａに設けられている。
【００４６】
図１０に示すように、スクリーン取付板３３には、プロジェクター１からの投射光を透過させるための開口３３Ａが設けられている。交換手段３４は、この開口３３Ａの周辺に配置される一対の取付金具３５，３５とストッパー３６とを有し、光軸ＬＸに対するリアスクリーン２の位置決めを行う。
【００４７】
リアスクリーン２は、スクリーン取付板３３の前面３３ａにその上下方向に所定間隔をおいて配置された断面視Ｌ字状の取付金具３５，３５間に挿入され、筐体３１の調整口３２とは反対側の取付金具３５，３５間の端部同士を繋ぐように存在するストッパー３６に側部が当接した状態で保持される。つまり、調整口３２から見てリアスクリーン２よりも奥側にストッパー３６が位置する。このストッパー３６によって位置決めされたリアスクリーン２の位置を表示位置とする。また、一対の取付金具３５，３５は、光軸ＬＸに直交する上下方向において光軸ＬＸからの距離が互いに等しい位置にある。すなわち交換手段３４は、プロジェクター１の光軸ＬＸ上にリアスクリーン２の中心（中央部）が位置するように保持する位置決め機能を備える。
【００４８】
なお、ストッパー３６は取付金具３５，３５の端部同士を繋ぐ形状とされていなくても良く、光軸ＬＸに対するリアスクリーン２の位置決め（水平方向における位置決め）を最適に行うことができれば形状は問わない。
【００４９】
筐体３１内に設置されたリアスクリーン２を別の形態を有するリアスクリーン２に交換する場合には、ユーザーにより、交換手段３４により上記したような表示位置に保持されているリアスクリーン２がストッパー３６から遠ざかる方向へスライド移動されながら交換位置へと引き出され、調整口３２を介して別のリアスクリーン２に交換される。そして、取付金具３５，３５に沿ってスライドさせストッパー３６に当接するまで移動させる。このようにして別の形態のリアスクリーン２が表示位置に設置されることになる。
このように、様々な形態のリアスクリーン２を用意しておくことによって用途に応じてリアスクリーン２を簡単に交換することができる。
【００５０】
また、プロジェクター１やリアスクリーン２などの表示ユニットを筐体３１内に収納したために、設置場所の環境光の影響を受けることなく、コントラストの高い表示が可能となり、よりリアリティの高い表示画像を得ることができる。また、リアスクリーン２を交換可能としたため、複数のリアスクリーン２を準備しておき、表示する物の形状に応じてリアスクリーン２を容易に交換することができる。
なお、調整口３２に開閉扉３７が設けられていてもよい。
【００５１】
以上述べたように、上記した各実施形態によれば、観察者Ｋが装着品をリアルタイムに装着してシミュレーションできるため、洋服の選択、化粧品や化粧方法の比較検討、眼鏡の選択などの場合に実際の物を装着しなくても、本物を装着したように、商品の選択をリアルタイムで補助することができる。さらに、表示される実像が奥行を備えるため、より本物に近い感覚で装着品を確認できる。
【００５２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００５３】
例えば、表示装置に観察者の位置を検出する位置検出手段を備えた構成としても良い。カメラなどにより観察者Ｋの位置を検出して表示する像の位置を移動可能にすれば、観察者Ｋが移動しなくても、最適な位置に実像を表示することが可能になる。
また、リアスクリーン２を光軸方向に移動可能な移動手段を備えてもよい。このように、リアスクリーン２にも移動機構を設けることで、フレネルレンズ３の移動機構とともに自動調整して、観察者Ｋにより最適な状態で合成した像を表示することが可能になる。
【００５４】
また、ハーフミラー４は、環境の明るさにより、合成した像が最適に見えるように反射と透過の濃度を選択すればよい。さらには、観察者Ｋを照明する照明装置を備えておけば、照明の明るさを調整することで、表示する像の内容によって合成像の実像と虚像の明るさの割合を調整して表示することができる。
【符号の説明】
【００５５】
１…プロジェクター（表示手段）、２…リアスクリーン（透過型スクリーン、表示手段）、３…フレネルレンズ（第１投射手段）、６…投射レンズ（第２投射手段）、Ｋ…観察者、Ｚ…空間像、２０，２５，２７…凹凸、２１…レンズ移動機構（移動手段）、３１…筐体、３４…交換手段、ＬＸ…光軸、１００，２００，３００，４００…表示装置
【図１】
0005817407.tif 000002
【図２】
0005817407.tif 000003
【図３】
0005817407.tif 000004
【図４】
0005817407.tif 000005
【図５】
0005817407.tif 000006
【図６】
0005817407.tif 000007
【図７】
0005817407.tif 000008
【図８】
0005817407.tif 000009
【図９】
0005817407.tif 000010
【図１０】
0005817407.tif 000011